(57)【要約】      （修正有）【課題】書見台の背板を金属細棒の枠にし、さらに開いた本がめくれるのを抑えるストッパーをやはり金属細棒の枠にし、大小の本に応じて横幅を伸縮可能とする。【解決手段】一本のステンレス金属棒を折り曲げて二組の枠を作る。背もたれ用枠は、楕円形を横に、開いた本の幅まで引き伸ばしたような形の枠で、その下部の左右の端から内側で下に足を一本ずつ伸ばし、先端を土台に突っ込んで枠の全体を後方に２０度ほど傾けるように固定する。ストッパー用の枠は、大判の本を開いた時の横幅を持つハート型で、その下部は水平にし、上部は両端から内側で中央を切り取った変形ハート型の枠にする。枠上部を上に折り曲げて、背もたれ枠の上部の金属丸棒に下からくぐらせて可動に巻きつける。本は背もたれ枠とストッパー枠の間に置き、ストッパー枠を左右に動かし変形ハート型を本の大きさに合わせて伸縮させる。【選択図】    図１
2007111448.tif 000002
【特許請求の範囲】
【請求項１】
直径２ミリほどのステンレス金属棒を折り曲げて、上部が楕円を横長に引き伸ばした形で、その下部の左右の端から少し内側の点から各各一本ずつ足を１０センチほど伸ばしその先を土台に埋めて固定する。金属棒枠の全体は土台より２０度ほど後方に傾けるようにする。  次に、直径１ミリほどのステンレス金属棒を折り曲げて、ハート型の下部を平らにしたような形の枠を作る。この枠の上部の左右の端から８センチほどの所まで残し中央を取り除き、その左右の端の先を前述の楕円形横長枠の上部に下からくぐらせ、ぐるっと巻きつける。巻きつけた枠は心棒をすべって動けるよう緩やかな円形に巻きつける。このようににして、ハート型の金属棒枠を開いたり閉じたりして動かし、大判の本も小判の本も自由自在に下部のコーナーを挟んで固定できるようにした書見台。
【発明の詳細な説明】
【技術分野】
【０００１】本考案は、金属棒を使って横幅を伸縮できるようにした新型書見台である。
【背景技術】
【０００２】    従来書見台は木製でかさばりデザイン的にも単調で物足らない。本考案は金属細棒を使用した新型で、かさばる背板を使わず、横幅を伸縮できる、且つ本立てにも使える機能を兼ね備えている。
【発明の開示】
【発明が解決しようとする課題】
【０００３】    今までに無い新型にし、金属棒枠を背もたれと前抑えにし、普段は小判の本の大きさに小さくし、大判の本も置くときは伸ばして大きく出来るようにしたい。かつ本立ての機能も持たせたい。
【課題を解決するための手段】
【０００４】本考案は一本の金属棒を折り曲げて金造棒枠を２個作り、それらを組み合わせて動かすように工夫し課題を解決している。
【発明の効果】
【０００５】    金属棒を折り曲げた後ろ枠が本を置く背もたれとなり、前枠で開いた本がめくれないように本の下部コーナーを押さえることが出来、かつ横に伸縮し、本が大判の時は横に開いて伸ばし、小判の本のときは縮めてコンパクトに出来る。後ろ枠は本立てにも使える。
【発明を実施するための最良の形態】
【０００６】    背もたれ枠の材料は加工がしやすい程度のやわらかさと形がくずれない硬さを兼ね備える直径２ミリほどのステンレス丸棒が最も良い。まえの本抑えの枠は直径１ミリ程度で弾力性のあるステンレス丸棒がよい。
【実施例】
【０００７】  直径２ミリのステンレス金属丸棒を折り曲げて、上部は立径７センチの楕円を横長に、開いた本の幅にまで引き伸ばしたような形の枠にし、その下部の両端から８センチの点で下に曲げ、左右一本ずつ２本の足を１５センチ伸ばし、足元を土台に突っ込み、背もたれ枠とし、全体を２０度後方に傾けて固定する。次に、開いた本がめくれないように抑えるための枠を直径１ミリのステンレス丸棒を折り曲げて作る。横幅が大判の本を開いた長さのハート型にし、下部を水平にし、上部の中央を切り取った変形ハート型の枠を作る。その上部の左右の端から６センチの点より左右２本の丸棒の先端を上にちょっと折り曲げ、それぞれの先端を背もたれ枠上部の金属丸棒に下からくぐらせ巻きつける。まきつけた後すべらせて動かせるように巻きつける。変形ハート型前枠は背もたれ枠にぶるさがり、土台に触るすれすれの高さにする。大判の本を置く時はこの枠を両側に開いて、巻きつけた輪が背もたれ枠の横で止まるように出来るようにする。土台は本を置いた時倒れない重量を持てば良く。形はブラジャー型が良い。本は開いて前枠の両端にコーナーを押し込んでページを押さえる様に置き、本上部を背もたれ枠上部の金属丸棒にもたれるように置く。本を読まない時は閉じて背もたれ枠の横長楕円形枠の中に突っ込んで立てかける。
【産業上の利用可能性】
【０００８】  かさばる背板を使用せず、金属細棒の枠を用いるので材料が少ない。全体がコンパクトで外観が美しい。子供達が勉強するときデザインが新しく好まれそうで役に立つ。本立てにも使える。
【図面の簡単な説明】
【０００９】
【図１】  本考案による金属棒枠伸縮書見台の正面図である。
【図２】  本考案のによる金属棒枠伸縮書見台の側面図である。
【図３】  本考案による金属棒伸縮書見台の平面図である。
【図４】  同書見台の前枠を縮めた時の正面図である。
【図５】  同書見台の前枠を横に伸ばした時の正面図である。
【図６】  同書見台に本を置いた時の斜め正面図である。
【図７】  同書見台の後ろ枠を本立てとして、本を置いた状態を示す斜め正面図である。
【図１】
2007111448.tif 000003
【図２】
2007111448.tif 000004
【図３】
2007111448.tif 000005
【図４】
2007111448.tif 000006
【図５】
2007111448.tif 000007
【図６】
2007111448.tif 000008
【図７】
2007111448.tif 000009
【手続補正書】
【提出日】平成17年11月30日(2005.11.30)
【手続補正１】
【補正対象書類名】特許請求の範囲
【補正対象項目名】請求項１
【補正方法】変更
【補正の内容】
【請求項１】
（１）直径２ミリ程度の金属棒を短径５センチほどの楕円を横に２０センチほど引き伸ばしたような形に折り曲げ、且つ、その金属棒枠の下部を中央が空間となる様、左右の端から夫々７センチ程度から下に８センチ程伸ばし２本の足をつけ土台に突っ込み、全体を２０度ほど後方に傾けて固定する。これを背もたれ枠とし、さらに、直径１・５ミリの金属丸棒を折り曲げ、左右に１３センチほど間隔をあけて山形出っ張りを一つづつ付けた形にし、左右の端を上に１２センチほど伸ばし、その先を楕円横長枠の上部に吊り下げる。この吊り下げ枠棒は背もたれ枠をすべらせ動けるようにし、それを枠の下側に動かし止めると、左右二つの山形出っ張りが土台の前に突き出るようにする。開いた本はその出っ張りと土台の間に置けばページは抑えられる。本を置かない時は、吊り下げ枠を背もたれ枠の上部に引き上げて止めれば、山形出っ張りは土台の奥に収納される。背もたれ枠の楕円横長枠の中には本を閉じて立てることが出来る。以上の様に構成される金属棒伸縮書見台
【手続補正２】
【補正対象書類名】明細書
【補正対象項目名】全文
【補正方法】変更
【補正の内容】
【発明の詳細な説明】
【技術分野】
【０００１】本考案は、金属棒を使って、開いた本のページ抑えを前後に動かせるようにした新型書見台である。
【背景技術】
【０００２】    従来書見台は木製でかさばりデザイン的にも単調で物足らない。本考案は金属細棒を使用した新型で、かさばる背板を使わず、金属棒のページ抑えを前後に動かす事によって、効率よく本を置けるようにした。且つ本立てにも使える機能を兼ね備えている。
【発明の開示】
【発明が解決しようとする課題】
【０００３】    今までに無い新型にし、金属棒枠を背もたれと前抑えにし、普段はページ抑えの出っ張りを奥に収納しといて、本を置く時に、前に出すようにし、かつ本立ての機能も持たせたい。
【課題を解決するための手段】
【０００４】本考案は一本の金属棒を折り曲げて金造棒枠を２個作り、それらを組み合わせて動かすように工夫し課題を解決している。
【発明の効果】
【０００５】    金属棒を折り曲げた後ろ枠が本を置く背もたれとなり、前のつり枠で開いた本がめくれないように本の下部を押さえることが出来、かつ前後に出し入れし、本を置かない時は縮めてコンパクトに出来る。後ろ枠は本立てにも使える。
【発明を実施するための最良の形態】
【０００６】    背もたれ枠の材料は加工がしやすい程度のやわらかさと形がくずれない硬さを兼ね備える直径２ミリほどのステンレス丸棒が最も良い。まえの本抑えの吊り枠は直径１・５ミリ程度のステンレス丸棒がよい。
【実施例】
【０００７】  直径２ミリのステンレス金属丸棒を折り曲げて、上部は立径５センチの楕円を横長に、開いた本の幅にまで引き伸ばしたような形の枠にし、その下部の両端から６センチの点で下に曲げ、左右一本ずつ２本の足を８センチ伸ばし、足元を土台に突っ込み、全体を２０度後方に傾けて固定し、背もたれ枠とする。次に、開いた本がめくれないように抑えるための吊り枠を直径１・５ミリのステンレス丸棒を折り曲げて作る。左右に１２センチの間隔をあけて、高さ４センチの山形の出っ張りをつけその左右の先端を上に１３センチ伸ばし、それぞれの先端を背もたれ枠上部の金属丸棒に吊り下げるように折り曲げる。吊り下げた後すべらせて動かせるようにする。吊り下げ枠は背もたれ枠にぶるさがり、土台に触るすれすれの高さにする。本を置く時はこの吊り枠を両側に開いて、楕円横長枠部の下側で止め、ページ抑えが土台の前に突き出るようにする。土台は本を置いた時倒れない重量を持てば良く。形はブラジャー型が良い。本は開いて前の吊り枠の左右の出っ張りと土台との間に置く。本を置かない時は、吊り枠を上に動かして前の出っ張りを奥に納めるようにする。
本を読まない時は閉じて背もたれ枠の横長楕円形枠の中に突っ込んで立てかける。
【産業上の利用可能性】
【０００８】  かさばる背板を使用せず、金属細棒の枠を用いるので材料が少ない。全体がコンパクトで外観が美しい。子供達が勉強するときデザインが新しく好まれそうで役に立つ。本立てにも使える。
【図面の簡単な説明】
【０００９】
【図１】  本考案による金属棒伸縮書見台の正面図である。
【図２】  本考案のによる金属棒伸縮書見台の平面図である。
【図３】  本考案による金属棒伸縮書見台の側面図である。
【図４】  同書見台の前枠を奥に納めた時の斜め正面図である。
【図５】  同書見台の前枠を前に突き出した時の斜め正面図である。
【図６】  同書見台に本を置いた時の斜め正面図である。
【図７】  同書見台の後ろ枠を本立てとして、本を置いた状態を示す斜め正面図である。
【手続補正３】
【補正対象書類名】図面
【補正対象項目名】全図
【補正方法】変更
【補正の内容】
【図１】
2007111448.tif 000010
【図２】
2007111448.tif 000011
【図３】
2007111448.tif 000012
【図４】
2007111448.tif 000013
【図５】
2007111448.tif 000014
【図６】
2007111448.tif 000015
【図７】
2007111448.tif 000016